(57)【要約】【課題】フィルタパックの分別処理が非常に容易なエアフィルタを提供する。【解決手段】ジグザグ状に折り曲げた濾材の折り曲げ空間内に波形セパレータを介装させて前記折り曲げ空間の間隔を保持するようにしたフィルタパックをフィルタ枠内に収容してなるエアフィルタであって、前記セパレータを端部において互いに連結するようにしたことを特徴とする。【選択図】　　　　図１
2004057950.tif 000002
【特許請求の範囲】
【請求項１】
ジグザグ状に折り曲げた濾材の折り曲げ空間内に波形セパレータを介装させて前記折り曲げ空間の間隔を保持するようにしたフィルタパックをフィルタ枠内に収容してなるエアフィルタであって、前記セパレータを端部において互いに連結するようにしたことを特徴とするエアフィルタ。
【請求項２】
前記セパレータの連結は、気流方向の上流側のセパレータ同士と、気流方向の下流側のセパレータ同士をそれぞれ互いに連結するようにしたことを特徴とする請求項１記載のエアフィルタ。
【請求項３】
前記セパレータの連結は、セパレータの端部に延設させた舌片によって行うようにしたことを特徴とする請求項１または２記載のエアフィルタ。
【請求項４】
前記エアフィルタはフィルタパック交換型のエアフィルタであることを特徴とする請求項１乃至３の何れかに記載のエアフィルタ。
【発明の詳細な説明】
【０００１】
【発明の属する技術分野】
本発明は、ジグザグ状に折り曲げた濾材の折り曲げ空間内に波形セパレータを介装させて前記折り曲げ空間の間隔を保持するようにしたフィルタパックをフィルタ枠内に収容してなるエアフィルタに関するもので、前記フィルタパックを構成する濾材とセパレータの分離を容易にしたエアフィルタに関する。
【０００２】
【従来の技術】
図４は従来のエアフィルタの分解斜視図を示すもので、極細ガラス繊維等で構成され、ジグザグ状に折り曲げた濾材１の折り曲げ空間２内にアルミ等で構成される波形セパレータ３を介装させて前記折り曲げ空間２の間隔を保持するようにしたフィルタパック１０を、上フレーム２０ａ、下フレーム２０ｂ、側フレーム２０ｃ，２０ｃからなる金属製等のフィルタ枠２０内に収容するようにしている。尚、下フレーム２０ｂの底面にはガラスウールからなる床材２１がシール材として敷設されている場合もある。
【０００３】
【発明が解決しようとする課題】
前記エアフィルタは、フィルタパック１０の交換時や、リサイクル時、廃棄時等にフィルタパック１０の濾材１とセパレータ３を分別処理する必要があるが、例えば６１０ｍｍ×６１０ｍｍ×２９０ｍｍのエアフィルタの場合、６０枚から２５０枚ほどのセパレータ３を濾材１の折り曲げ空間２から一枚づつ引き抜く必要がるため、非常に手間のかかる作業となっていた。
そこで、本発明は、フィルタパックの分別処理が非常に容易なエアフィルタを提供することを目的とする。
【０００４】
【課題を解決するための手段】
本発明者等は前記課題を解決するために鋭意検討の結果、セパレータを端部において互いに連結することにより、一気に濾材とセパレータとを分別できることを知見した。
本発明のエアフィルタはかかる知見に基づきなされたもので、請求項１に記載の通り、ジグザグ状に折り曲げた濾材の折り曲げ空間内に波形セパレータを介装させて前記折り曲げ空間の間隔を保持するようにしたフィルタパックをフィルタ枠内に収容してなるエアフィルタであって、前記セパレータを端部において互いに連結するようにしたことを特徴とする。
また、請求項２記載のエアフィルタは、請求項１記載のエアフィルタにおいて、前記セパレータの連結は、気流方向の上流側のセパレータ同士と、気流方向の下流側のセパレータ同士をそれぞれ互いに連結するようにしたことを特徴とする。
また、請求項３記載のエアフィルタは、請求項１または２記載のエアフィルタにおいて、前記セパレータの連結は、セパレータの端部に延設させた舌片によって行うようにしたことを特徴とする。
また、請求項４記載のエアフィルタは、請求項１乃至３の何れかに記載のエアフィルタにおいて、前記エアフィルタはフィルタパック交換型のエアフィルタであることを特徴とする。
【０００５】
【実施例】
次に、本発明エアフィルタの実施例を図面に基づき説明する。
図１は、本発明エアフィルタの一実施例の分解斜視図を示すもので、極細ガラス繊維等で構成され、ジグザグ状に折り曲げた濾材１の折り曲げ空間２内にアルミ等で構成される波形セパレータ３を介装させて前記折り曲げ空間２の間隔を保持するようにしたフィルタパック１０を、上フレーム２０ａ、下フレーム２０ｂ、側フレーム２０ｃ，２０ｃからなる金属製のフィルタ枠２０内に収容するようにしている。また、下フレーム２０ｂの底面にはガラスウールからなる床材２１がシール材として敷設されている。
【０００６】
以上の構成は、従来のエアフィルタと特に変わるところはないが、本実施例のエアフィルタでは、セパレータ３の端部に舌片３ａを延設し、この舌片３ａによってセパレータ３，３同士を互いに連結するようにした。
尚、前記舌片３ａは、セパレータ３と別部材で構成してもかまわないが、セパレータの作成時に一体に構成するのが好ましい。
【０００７】
本実施例では、気流方向の上流側のセパレータ３，３同士と、気流方向の下流側のセパレータ３，３同士をそれぞれ互いに連結するようにした。
詳細には、図２に示すように、セパレータ３の端部に延設した舌片３ａを重ね合わせ、この重ね合わされた舌片３ａをアルミ粘着テープ４で固定することにより連結するようにした。
【０００８】
尚、前記実施例では、気流方向の上流側のセパレータ３，３同士と、気流方向の下流側のセパレータ３，３同士をそれぞれ上端側に設けた舌片３ａで互いに連結するようにしたが、それぞれ下端側に設けた舌片で連結するようにしてもよく、或いは、上流側のセパレータ３，３同士を上端側に設けた舌片３ａで連結し、下流側のセパレータ３，３同士を下端側に設けた舌片で連結するようにしてもよい。
【０００９】
また、本実施例では、気流方向の上流側のセパレータ３，３同士と、気流方向の下流側のセパレータ３，３同士をそれぞれ互いに一端部において、即ち、上端部においてのみ連結するようにしたが、気流方向の上流側のセパレータ３，３と、気流方向の下流側のセパレータ３，３とをそれぞれ、気流方向の正逆方向側に引き出すことが可能であるため、上下両端部において連結するようにしてもよい。
【００１０】
また、前記実施例では、気流方向の上流側のセパレータ３，３同士と、気流方向の下流側のセパレータ３，３同士をそれぞれ別々に連結するようにしたが、幅広のアルミ粘着テープを用いて、気流方向の上流側のセパレータ３，３と、気流方向の下流側のセパレータ３，３を一緒にして連結するようにしてもよい。
【００１１】
【発明の効果】
このように本発明によれば、フィルタパックのセパレータを端部において互いに連結するようにしたので、フィルタパックの分別処理が非常に容易なエアフィルタが得られる。
【図面の簡単な説明】
【図１】本発明エアフィルタの実施例の分解斜視図
【図２】同要部の拡大平面図
【図３】同変形例の要部の拡大平面図
【図４】従来のエアフィルタの分解斜視図
【符号の説明】
１　濾材
２　折り曲げ空間
３　波形セパレータ
３ａ舌片
４　粘着テープ
１０　フィルタパック
２０　フィルタ枠
２０ａ上フレーム
２０ｂ下フレーム
２０ｃ側フレーム
２１　床材
【図１】
2004057950.tif 000003
【図２】
2004057950.tif 000004
【図３】
2004057950.tif 000005
【図４】
2004057950.tif 000006